(57)【要約】  本発明の実施例は撮影方法、装置及び端末を開示し、該撮影方法は、予備撮影状態で、ユーザが撮影プレビューインタフェースの特定撮影領域をマークする要求を受信して、要求に応じてマーク情報を生成して撮影プレビューインタフェースにおける対応した位置に表示するステップと、正式撮影状態で、撮影プレビューインタフェースに同時にカメラが取得した画像情報とマーク情報を表示し、撮影指示を受信した後に、撮影操作を実行するステップとを含む。【選択図】図１
2017525193.tif 000002
【特許請求の範囲】
【請求項１】
予備撮影状態で、ユーザが撮影プレビューインタフェースの特定撮影領域をマークする要求を受信して、前記要求に基づきマーク情報を生成して前記撮影プレビューインタフェースにおける対応した位置に表示するステップと、
正式撮影状態で、前記撮影プレビューインタフェースに同時にカメラが取得した画像情報と前記マーク情報を表示するステップと、撮影指示を受信した後に、撮影操作を実行するステップと、を含む撮影方法。
【請求項２】
前記ユーザが撮影プレビューインタフェースの特定撮影領域をマークする要求を受信するのは、ユーザが撮影プレビューインタフェースで端末ディスプレイをタッチするタッチ情報を受信することを含み、
前記要求に基づきマーク情報を生成して前記撮影プレビューインタフェースにおける対応した位置に表示するのは、ユーザの端末ディスプレイに対するタッチ情報に基づきマーク情報を生成して、且つ撮影プレビューインタフェースにおけるユーザがタッチする位置に前記マーク情報を表示することを含む請求項1に記載の撮影方法。
【請求項３】
前記タッチ情報はユーザが選択したマークグラフ及びユーザが前記マークグラフを置く位置を含む際に、前記要求に基づきマーク情報を生成して前記撮影プレビューインタフェースにおける対応した位置に表示するのは、ユーザが選択したマークグラフをマーク情報として、且つ撮影プレビューインタフェースにおけるユーザが前記マークグラフを置く位置に前記マークグラフを表示することを含み、
前記タッチ情報はユーザの前記端末ディスプレイにおけるタッチ軌跡を含む際に、
前記タッチ軌跡をマーク情報として、撮影プレビューインタフェースにおけるユーザがタッチする位置に前記マーク情報を表示する方式、
又は前記ユーザの端末ディスプレイにおけるタッチ軌跡に基づきユーザのタッチ選択領域を確定して、ユーザのタッチ選択領域に表示した画像の第1特定特徴情報を抽出し、前記第1特定特徴情報に基づきマーク情報を生成して、撮影プレビューインタフェースにおけるユーザがタッチする位置に前記マーク情報を表示する方式、の一つを採用してマーク情報を生成して且つ前記撮影プレビューインタフェースにおける対応した位置に表示することができる請求項2に記載の撮影方法。
【請求項４】
前記ユーザが撮影プレビューインタフェースの特定撮影領域をマークする要求を受信するのは、ユーザがカメラの取得した画像情報を静止する要求を受信することを含み、
前記要求に基づきマーク情報を生成して前記撮影プレビューインタフェースにおける対応した位置に表示するのは、前記要求に基づきカメラが取得した画像情報を静止して、前記静止した画像情報から第2特徴情報を取得して、前記第2特徴情報に基づきマーク情報を生成し、且つ撮影プレビューインタフェースにおける対応した位置に前記マーク情報を表示することを含む請求項1に記載の撮影方法。
【請求項５】
前記撮影プレビューインタフェースに同時にカメラが取得した画像情報と前記マーク情報を表示した後、撮影指示を受信する前に、前記カメラが取得した画像において特定撮影領域における画像と前記マーク情報との一致度を計算して、前記一致度の値が予め設定された値を超える際に、ユーザに撮影することを通知し又は端末をトリガーして撮影を起動することを更に含む請求項1-4のいずれか一項に記載の撮影方法。
【請求項６】
要求受信モジュール、マーク生成モジュール、マーク表示モジュール、画像表示モジュール及び撮影モジュールを含み、
前記要求受信モジュールは、予備撮影状態で、ユーザが撮影プレビューインタフェースの特定撮影領域をマークする要求を受信するように設定され、
前記マーク生成モジュールは、前記要求に基づきマーク情報を生成するように設定され、
前記マーク表示モジュールは、予備撮影状態と正式撮影状態の両方で前記マーク情報を前記撮影プレビューインタフェースにおける対応した位置に表示するように設定され、
前記画像表示モジュールは、前記撮影プレビューインタフェースにカメラが取得した画像情報を表示するように設定され、
前記撮影モジュールは、撮影指示を受信した後に、撮影操作を実行するように設定される撮影装置。
【請求項７】
前記要求受信モジュールは、ユーザが撮影プレビューインタフェースで端末ディスプレイをタッチするタッチ情報を受信するように設定されるタッチ情報受信サブモジュールを含み、
前記マーク生成モジュールは、ユーザの端末ディスプレイに対するタッチ情報に基づきマーク情報を生成するように設定されるタッチマーク生成サブモジュールを含み、
前記マーク表示モジュールは、撮影プレビューインタフェースにおけるユーザがタッチする位置に前記マークを表示するように設定されるタッチマーク表示サブモジュールを含む情報請求項6に記載の撮影装置。
【請求項８】
前記タッチマーク生成サブモジュールはグラフマーク生成サブモジュール、軌跡マーク生成サブモジュール又は第1特徴マーク生成サブモジュールを含み、前記タッチマーク表示サブモジュールは対応的にグラフマーク表示サブモジュール、軌跡マーク表示サブモジュール又は第1特徴マーク表示サブモジュールを含み、
前記グラフマーク生成サブモジュールは、前記タッチ情報にユーザが選択したマークグラフ及びユーザが前記マークグラフを置く位置を含む際に、ユーザが選択したマークグラフをマーク情報とするように設定され、前記グラフマーク表示サブモジュールは、撮影プレビューインタフェースにおけるユーザが前記マークグラフを置く位置に前記マークグラフを表示するように設定され、
前記軌跡マーク生成サブモジュールは、前記タッチ情報がユーザの前記端末ディスプレイにおけるタッチ軌跡を含む際に、前記タッチ軌跡をマーク情報とするように設定され、前記軌跡マーク表示サブモジュールは、撮影プレビューインタフェースにおけるユーザがタッチする位置に前記マーク情報を表示するように設定され、
前記第1特徴マーク生成サブモジュールは、前記タッチ情報がユーザの前記端末ディスプレイにおけるタッチ軌跡を含む際に、前記ユーザの端末ディスプレイにおけるタッチ軌跡に基づきユーザのタッチ選択領域を確定して、ユーザのタッチ選択領域に表示した画像の第1特徴情報を抽出して、前記第1特徴情報に基づきマーク情報を生成するように設定され、前記第1特徴マーク表示サブモジュールは、撮影プレビューインタフェースにおけるユーザが前記マークグラフを置く位置に前記マーク情報を表示するように設定される請求項7に記載の撮影装置
【請求項９】
前記要求受信モジュールは静止要求受信サブモジュールを含み、前記静止要求受信サブモジュールは、ユーザがカメラの取得した画像情報を静止する要求を受信するように設定され、
前記マーク生成モジュールは、前記要求に基づきカメラが取得した画像情報を静止して、前記静止した画像情報から第2特徴情報を取得し、前記第2特徴情報に基づきマーク情報を生成するように設定される第2特徴マーク生成サブモジュールを含み、前記マーク表示モジュールは、撮影プレビューインタフェースにおける対応した位置に前記マーク情報を表示するように設定される第2特徴マーク表示サブモジュールを含む請求項6に記載の撮影装置。
【請求項１０】
前記カメラが取得した画像の中の特定撮影領域における画像と前記マーク情報との一致度を計算して、前記一致度の値が予め設定された値を超える際に、ユーザに撮影することを通知し又は端末をトリガーして撮影を起動するように設定される計算モジュールを更に含む請求項6-9のいずれか一項に記載の撮影装置。
【請求項１１】
受信モジュール、処理モジュール、表示モジュール及び画像取得モジュールを含み、
前記画像取得モジュールは画像情報を取得するように設定され、
前記表示モジュールは、撮影プレビューインタフェースに前記画像情報を表示するように設定され、
前記受信モジュールは、ユーザが撮影プレビューインタフェースの特定撮影領域をマークする要求を受信して、前記要求を受信した後に、前記要求を前記処理モジュールに送信するように設定され
前記処理モジュールは、前記要求に基づきマーク情報を生成して、且つ前記マーク情報を前記表示モジュールに送信するように設定され、
前記表示モジュールは更に、撮影プレビューインタフェースにおける対応した位置に前記マーク情報を表示するように設定され、
前記受信モジュールは更に、撮影指示を受信して、且つ撮影指示を受信した後に、処理モジュールに撮影操作を実行することを通知するように設定される撮影端末。
【請求項１２】
前記受信モジュールはタッチ受信サブモジュールを含み、前記表示モジュールはタッチディスプレイを含み、前記タッチ受信サブモジュールは、ユーザが撮影プレビューインタフェースで前記タッチディスプレイをタッチするタッチ情報を受信するように設定され、前記処理モジュールは、ユーザの前記タッチディスプレイに対するタッチ情報に基づきマーク情報を生成して、且つ前記表示モジュールに送信するように設定され、前記表示モジュールは撮影プレビューインタフェースにおけるユーザがタッチする位置に前記マーク情報を表示するように設定される請求項11に記載の撮影端末。
【発明の詳細な説明】
【技術分野】
【０００１】
本発明は写真撮影分野に関し、特に撮影方法、装置及び端末に関する。
【背景技術】
【０００２】
生活レベルの向上に伴って、より多くの人々は撮影機器を持って、撮影が好きである人も多くなる。写真を撮る際に、三脚を連れていないと、撮影した人は被撮影画面内に立てられないため、他人の助けを求め、他人を頼んで自分を撮影する場合が多い。しかし、個人的な撮影技術と構図の好みによって、他人を頼んで撮影した写真の構図は自分の所望の画像と効果が異なる。
【発明の概要】
【発明が解決しようとする課題】
【０００３】
本発明の実施例は従来の技術における他人を頼んで撮影する際に、被委託者が撮った画像は予期される効果に達することができない問題を解決するように、撮影方法、装置及び端末を提供する。
【課題を解決するための手段】
【０００４】
本発明の実施例による撮影方法は、予備撮影状態で、ユーザが撮影プレビューインタフェースの特定撮影領域をマークする要求を受信して、要求に応じてマーク情報を生成して撮影プレビューインタフェースにおける対応した位置に表示するステップと、正式撮影状態で、撮影プレビューインタフェースに同時にカメラが取得した画像情報とマーク情報を表示するステップと、撮影指示を受信した後に、撮影操作を実行するステップとを含む。
【０００５】
本発明の一実施例において、ユーザが撮影プレビューインタフェースの特定撮影領域をマークする要求を受信するのは、ユーザが撮影プレビューインタフェースで端末ディスプレイをタッチするタッチ情報を受信することを含み、
要求に応じてマーク情報を生成して撮影プレビューインタフェースにおける対応した位置に表示するのは、ユーザの端末ディスプレイに対するタッチ情報に基づきマーク情報を生成して、且つ撮影プレビューインタフェースにおけるユーザがタッチする位置にマーク情報を表示することを含む。
【０００６】
本発明の一実施例において、タッチ情報はユーザが選択したマークグラフ及びユーザがマークグラフを置く位置を含む際に、要求に応じてマーク情報を生成して撮影プレビューインタフェースにおける対応した位置に表示するのは、ユーザが選択したマークグラフをマーク情報として、且つ撮影プレビューインタフェースにおけるユーザがマークグラフを置く位置にマークグラフを表示することを含み、
タッチ情報はユーザの端末ディスプレイにおけるタッチ軌跡を含む際に、
タッチ軌跡をマーク情報として、撮影プレビューインタフェースにおけるユーザがタッチする位置にマーク情報を表示する方式、
又はユーザの端末ディスプレイにおけるタッチ軌跡に基づきユーザのタッチ選択領域を確定し、ユーザのタッチ選択領域に表示した画像の第1特定特徴情報を抽出して、第1特定特徴情報に基づきマーク情報を生成して、撮影プレビューインタフェースにおけるユーザタッチの位置にマーク情報を表示する方式、の中の一つを採用してマーク情報を生成して撮影プレビューインタフェースにおける対応した位置に表示する。
【０００７】
本発明の一実施例において、ユーザが撮影プレビューインタフェースの特定撮影領域をマークする要求を受信するのは、ユーザがカメラの取得した画像情報を静止する要求を受信することを含み、
要求に応じてマーク情報を生成して撮影プレビューインタフェースにおける対応した位置に表示するのは、要求に基づきカメラが取得した画像情報を静止して、静止した画像情報から第2特徴情報を取得し、第2特徴情報に基づきマーク情報を生成して、且つ撮影プレビューインタフェースにおける対応した位置にマーク情報を表示することを含む。
【０００８】
本発明の一実施例において、撮影プレビューインタフェースに同時にカメラが取得した画像情報とマーク情報を表示した後に、撮影指示を受信する前に、カメラが取得した画像の中の特定撮影領域における画像とマーク情報との一致度を計算して、一致度の値が予め設定した値を超える際に、ユーザに撮影することを通知し又は端末をトリガーして撮影を起動することを更に含む。
【０００９】
本発明の実施例は撮影装置を更に提供し、要求受信モジュール、マーク生成モジュール、マーク表示モジュール、画像表示モジュール及び撮影モジュールを含み、要求受信モジュールは、予備撮影状態で、ユーザが撮影プレビューインタフェースの特定撮影領域をマークする要求を受信するように設定され、マーク生成モジュールは、要求に基づきマーク情報を生成するように設定され、マーク表示モジュールは、予備撮影状態と正式撮影状態の両方でマーク情報を撮影プレビューインタフェースに対応した位置に表示するように設定され、画像表示モジュールは、撮影プレビューインタフェースにカメラが取得した画像情報を表示するように設定され、
撮影モジュールは、撮影指示を受信した後に、撮影操作を実行するように設定される。
【００１０】
本発明の一実施例において、要求受信モジュールはユーザが撮影プレビューインタフェースで端末ディスプレイをタッチするタッチ情報を受信するように設定されるタッチ情報受信サブモジュールを含み、マーク生成モジュールはユーザの端末ディスプレイに対するタッチ情報に基づきマーク情報を生成するように設定されるタッチマーク生成サブモジュールを含み、マーク表示モジュールは撮影プレビューインタフェースにユーザがタッチする位置にマーク情報を表示するように設定されるタッチマーク表示サブモジュールを含む。
【００１１】
本発明の一実施例において、タッチマーク生成サブモジュールはグラフマーク生成サブモジュール、軌跡マーク生成サブモジュール又は第1特徴マーク生成サブモジュールを含み、タッチマーク表示サブモジュールは対応的にグラフマーク表示サブモジュール、軌跡マーク表示サブモジュール又は第1特徴マーク表示サブモジュールを含み、
グラフマーク生成サブモジュールは、タッチ情報がユーザが選択したマークグラフ及びユーザがマークグラフを置く位置を含む際に、ユーザが選択したマークグラフをマーク情報とするように設定され、グラフマーク表示サブモジュールは、撮影プレビューインタフェースにおけるユーザがマークグラフを置く位置にマークグラフを表示するように設定され、
軌跡マーク生成サブモジュールは、タッチ情報がユーザの端末ディスプレイにおけるタッチ軌跡を含む際に、タッチ軌跡をマーク情報とするように設定され、軌跡マーク表示サブモジュールは、撮影プレビューインタフェースにおけるユーザがタッチする位置にマーク情報を表示するように設定され、
第1特徴マーク生成サブモジュールは、タッチ情報がユーザの端末ディスプレイにおけるタッチ軌跡を含む際に、ユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成するように設定され、第1特徴マーク表示サブモジュールは、撮影プレビューインタフェースにユーザがマークグラフを置く位置にマーク情報を表示するように設定される。
本発明の一実施例において、要求受信モジュールは静止要求受信サブモジュールを含み、静止要求受信サブモジュールは、ユーザがカメラが取得した画像情報を静止する要求を受信するように設定され、
マーク生成モジュールは、要求に基づきカメラが取得した画像情報を静止して、静止した画像情報から第2特徴情報を取得し、第2特徴情報に基づきマーク情報を生成するように設定される第2特徴マーク生成サブモジュールを含み、マーク表示モジュールは、撮影プレビューインタフェースにおける対応した位置にマーク情報を表示するように設定される第2特徴マーク表示サブモジュールを含む。
【００１２】
本発明の一実施例において、装置は、カメラが取得した画像の中の特定撮影領域における画像とマーク情報との一致度を計算して、一致度の値が予め設定した値を超える際に、ユーザに撮影することを通知し又は端末をトリガーして撮影を起動するように設定される計算モジュールを更に含む。
【００１３】
本発明は撮影端末を更に提供し、受信モジュール、処理モジュール、表示モジュール及び画像取得モジュールを含み、画像取得モジュールは画像情報を取得するように設定され、表示モジュールは、撮影プレビューインタフェースに画像情報を表示するように設定され、受信モジュールは、ユーザが撮影プレビューインタフェースの特定撮影領域をマークする要求を受信して、要求を受信した後に、要求を処理モジュールに送信するように設定され、処理モジュールは、要求に基づきマーク情報を生成して、且つマーク情報を表示モジュールに送信するように設定され、表示モジュールは更に撮影プレビューインタフェースにおける対応した位置にマーク情報を表示するように設定され、受信モジュールは更に撮影指示を受信して、且つ撮影指示を受信した後に、処理モジュールに撮影操作を実行することを通知するように設定される。
【００１４】
本発明の一実施例において、受信モジュールはタッチ受信サブモジュールを含み、表示モジュールはタッチディスプレイを含み、タッチ受信サブモジュールは、ユーザが撮影プレビューインタフェースで端末のタッチディスプレイをタッチするタッチ情報を受信するように設定され、処理モジュールは、ユーザのタッチディスプレイに対するタッチ情報に基づきマーク情報を生成して、且つ表示モジュールに送信するように設定され、表示モジュールは撮影プレビューインタフェースにユーザがタッチする位置にマーク情報を表示するように設定される。
【発明の効果】
【００１５】
本発明の実施例による撮影方法は正式撮影を行う前に、ユーザが撮影プレビューインタフェースの特定撮影領域をマークする要求を受信して、且つ要求に応じてマーク情報を生成して撮影プレビューインタフェースにおける対応した位置に表示し、正式撮影状態で、撮影プレビューインタフェースに同時にカメラが取得した画像情報とマーク情報を表示することによって、撮影被委託者にマーク情報に基づき委託者が置きたい画像の位置を知らせ、更に委託者の意志に従って撮影場面を撮影することで、撮影してきた画像が委託者の予期された効果に符合させる。
【図面の簡単な説明】
【００１６】
【図１】図1は本発明の実施例1による一撮影方法を示すフローチャートである。
【図２ａ】図2aは本発明の実施例1による一撮影方法において、予備撮影状態で撮影プレビューインタフェースに表示した画像である。
【図２ｂ】図2bは本発明の実施例1による一撮影方法において、予備撮影状態でユーザは特定撮影領域においてグラフを描いた後の撮影プレビューインタフェースである。
【図２ｃ】図2cは本発明の実施例1による一撮影方法において、端末に表示したマーク情報である。
【図２ｄ】図2dは本発明の実施例1による一撮影方法において、正式撮影状態で同時にカメラが取得した画像情報とマーク情報を表示する端末の撮影プレビューインタフェースである。
【図２ｅ】図2eは本発明の実施例1による一撮影方法において、正式撮影状態で同時にカメラが取得した画像情報とマーク情報を表示する他の端末の撮影プレビューインタフェースである。
【図２ｆ】図2fは本発明の実施例1による一撮影方法において、撮影が終わった後に端末が撮影した画像情報である。
【図３ａ】図3aは本発明の実施例1による他の撮影方法において、端末が特定撮影領域において特徴情報を取得した撮影プレビューインタフェースである。
【図３ｂ】図3bは発明実施例1による他の撮影方法において、端末が表示したマーク情報である。
【図４ａ】図4aは本発明の実施例1による更に別の撮影方法において、ユーザは特定撮影領域においてマークグラフを置いた撮影プレビューインタフェースである。
【図４ｂ】図4bは発明実施例1による更に別の撮影方法において、端末に表示したマーク情報である。
【図５】図5は本発明の実施例2による一撮影方法を示すフローチャートである。
【図６】図6は本発明の実施例3による撮影装置を示す構造模式図である。
【図７】図7は本発明の実施例3による他の撮影装置を示す構造模式図である。
【図８】図8は本発明の実施例3による更に別の撮影装置を示す構造模式図である。
【図９】図9は本発明の実施例3による更に他の撮影装置を示す構造模式図である。
【図１０】図10は本発明の実施例4による撮影端末を示す構造模式図である。
【図１１】図11は本発明の実施例4による他の撮影端末を示す構造模式図である。
【発明を実施するための形態】
【００１７】
本発明の実施例による撮影方法は、予備撮影状態で、ユーザは撮影プレビューインタフェースに特定撮影領域をマークするステップ、端末はユーザが撮影プレビューインタフェースにおける特定撮影領域をマークする要求を受信した後に、前記要求に基づきマーク情報を生成して、且つ撮影プレビューインタフェースにおける対応した位置に表示するステップ、及び正式撮影状態で、ユーザはマーク情報に基づきカメラが取得した画像を撮影するステップを含む。予備撮影状態と正式撮影状態の両方は端末が撮影モードに入った状態であり、予備撮影状態と正式撮影状態との区別は、予備撮影状態とはユーザが特定撮影領域をマークする際の端末の状態を指し、正式撮影状態とはユーザがマーク情報に基づきカメラが取得した画像情報を撮影しようとする際の端末の状態を指すことにある。撮影プレビューインタフェースはカメラがリアルタイムに取得した画像情報を表示するインタフェースである。特定撮影領域はユーザが指定したマークする領域も含み、またカメラが取得した画像における特徴が顕著な領域も含む。
【００１８】
以下、具体的な実施例を採用して上記撮影方法、装置及び端末を説明し、衝突しない場合に、本発明の実施例及び実施例における特徴を互いに任意に組み合わせることができる。
【００１９】
実施例1
本実施例は撮影方法を提供し、図1を参照して、図1は該撮影方法のフローチャートであり、該方法は、以下のステップを含む。
ステップS101、予備撮影状態で、ユーザが撮影プレビューインタフェースの特定撮影領域をマークする要求を受信して、要求に応じてマーク情報を生成して撮影プレビューインタフェースにおける対応した位置に表示する。
ステップS102、正式撮影状態で、撮影プレビューインタフェースに同時にカメラが取得した画像情報とマーク情報を表示する。
ステップS103、撮影指示を受信した後に、撮影操作を実行する。
【００２０】
本実施例による撮影方法は主に他人を頼んで撮影する際に、被委託者が委託者の意志に応じて撮影させることができる。このため、上記ステップS101におけるユーザは一般的に委託者を指す。ユーザは自分の好みに基づき、まず撮影しようとする背景と撮影位置を選択して、カメラのファインダーを調整し、構図をアレンジする。次に撮影プレビューインタフェースにおける特定撮影領域をマークして、特定撮影領域はユーザによって指定されてもよいし、端末によりアルゴリズムなどの方式によって確定されてもよい。端末はユーザが撮影プレビューインタフェースにおける特定撮影領域をマークする要求を受信した後に、要求に基づき相応なマーク情報を生成して、且つ撮影プレビューインタフェースにおける対応した位置に表示する。ステップS102において、端末は撮影プレビューインタフェースに同時にカメラが取得した画像情報とマーク情報を表示する。カメラが取得した画像情報はカメラの移動によって変化し、ユーザは修正しない限り、撮影プレビューインタフェースに表示したマーク情報の形状及び位置は変化しない。端末は撮影プレビューインタフェースに同時にカメラが取得した画像情報と設定したマーク情報を表示する目的は、被委託者に委託者の撮影構図意志を明確に理解させ、被委託者はカメラが取得した画像における各特定領域を対応したマーク情報に置くだけで、次に撮影して、撮影してきた写真の構図は委託者の所望の構図と一致する。
【００２１】
上記ステップS103において、撮影操作を実行した後に、記憶した撮影画像はマーク情報を含まない。好ましくは、撮影が終わった後に、撮影プレビューインタフェースに表示したマーク情報も取り消す。
【００２２】
上記ステップS101において、撮影プレビューインタフェースに、ユーザが端末ディスプレイをタッチするによって撮影プレビューインタフェースにおける特定撮影領域をマークする要求を実現することができる。この時、ユーザが撮影プレビューインタフェースの特定撮影領域をマークする要求を受信するのは、ユーザが撮影プレビューインタフェースで端末ディスプレイをタッチするタッチ情報を受信することを含む。端末はユーザが撮影プレビューインタフェースにおけるタッチ情報を受信した後に、端末はユーザが端末ディスプレイに対するタッチ情報に基づきマーク情報を生成して、且つ撮影プレビューインタフェースにユーザがタッチする位置にマーク情報を表示する。
【００２３】
好ましくは、ユーザは端末ディスプレイに対するタッチに異なる状況が存在するため、端末は受信したユーザが端末ディスプレイをタッチするタッチ情報も異なりが存在し、例えばユーザは端末ディスプレイに対するタッチがディスプレイにグラフ（例えば落書き）を描くことである際に、タッチ情報はユーザの端末ディスプレイにおけるタッチ軌跡を含み、撮影プレビューインタフェースにドラッグできるマークグラフを有すると、ユーザはマークグラフをドラッグする際にも端末ディスプレイをタッチする必要もあり、この時、ユーザは端末ディスプレイに対するタッチは端末ディスプレイにグラフをドラッグすることであり、タッチ情報はユーザが選択したマークグラフ及びユーザがマークグラフを置く位置（即ちユーザがマークグラフへのドラッグを停止する位置）を含む。
【００２４】
タッチ情報はユーザの端末ディスプレイにおけるタッチ軌跡を含む際に、直接にタッチ軌跡に基づきマーク情報を生成して撮影プレビューインタフェースに表示することができ、例えば、ユーザのディスプレイにおけるタッチ軌跡を抽出して、タッチ軌跡をマーク情報として、撮影プレビューインタフェースにおけるユーザがタッチする位置にマーク情報を表示する。このような方法をより良く説明するために、以下、一つの例示的な例によって説明し、図2aを参照して、撮影プレビューインタフェースに表示した主な画像は1つのツリーと1つのハウスであり、ユーザはディスプレイにはグラフを描くことによって特定撮影領域をマークし、ここで、特定撮影領域はユーザが指定したツリーとハウスの所在する領域を指す。図2bにおける点線を参照して、ユーザはツリーの特徴に基づきツリーの周辺に1つの楕円を描き、ハウスの形状に基づき1つの不規則なグラフを描く。端末はユーザのタッチ情報を受信した後に、ユーザのディスプレイにおけるタッチ軌跡、即ち1つの楕円と1つの不規則なグラフを抽出し、タッチ軌跡をマーク情報として、且つ撮影プレビューインタフェースに対応した位置に表示する。図2cを参照して、図2cは2つのマーク情報の撮影プレビューインタフェースにおける表示である。ユーザはカメラを被委託者に渡った後に、撮影しようとする場面に立て、被委託者はカメラを撮影しようとする場面に位置合わせ、この時ツリーとハウスはいずれもマーク情報内に位置しなく、図2dを参照して、このような撮影構図は委託者の意志に符合しない。それで、ツリーとハウスとはそれぞれマーク情報内に位置するまで、被委託者はカメラの角度を調整して、図2eに示すように、次に、委託者はシャッターを押して、撮影操作を実行して、撮影が終わった後に、撮影画像を取得し、図2fを参照して、撮影画像にマーク情報が含まない。
【００２５】
タッチ情報はユーザの端末ディスプレイにおけるタッチ軌跡を含む際に、マーク情報の設定をより速くにさせるために、端末が自動的にマーク情報を設定させることもでき、例えばユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成し、マーク情報を撮影プレビューインタフェースにおけるユーザがタッチした位置に置く。第1特徴情報はユーザのタッチ選択領域に表示した画像における顕著である情報を代表して、これらの情報は該領域画像の特点、例えば該領域におけるある物体のピーク点、ある物体の輪郭等を代表する。例えば図3aにおけるハウスの屋根上の黒い三角形301はハウスの屋根の特徴情報であり、ツリー上の1つの不規則な形状302はツリーの頂端の輪郭特徴情報であり、端末はこれらの特徴情報を抽出した後に、マーク情報を生成して撮影プレビューインタフェースに表示し、図3bは2つのマーク情報の撮影プレビューインタフェースにおける表示である。
【００２６】
タッチ情報はユーザが選択したマークグラフ及びユーザがマークグラフを置く位置を含む際に、ユーザが選択したマークグラフをマーク情報として、且つ撮影プレビューインタフェースにおけるユーザがマークグラフを置く位置にマークグラフを表示することができる。マークグラフは既に端末に存在したグラフであり、これらのグラフは幾何グラフであってもよいし、いくつかの具体的な物体を代表する画像、例えば山、ハウス、猫、人等であってもよい。ユーザは撮影プレビューインタフェースに1つの山の位置をマークする必要があると、山を代表する1つのマークグラフをプレビューインタフェースにおける山に対応した位置に置くことができる。例えば図4aにおけるハウスマークグラフ401とツリーマークグラフ402である。ユーザは選択したハウスマークグラフ401を撮影プレビューインタフェースにおけるハウスを表示する領域内に置き、選択したツリーマークグラフ402をツリーを表示する領域内に置き、端末はこれらのマークグラフをマーク情報としてプレビューインタフェースに対応した位置に表示し、図4bは2つのマーク情報の撮影プレビューインタフェースにおける表示である。このことから、このようなマーク方式は非常に簡単であり、且つ意思が明確で、ユーザはこのような方式によってマークした後に、他人に渡って撮影する際に、他人がユーザの理想的な構図を知ることができることがわかる。
【００２７】
上記ステップS101において、ユーザが撮影プレビューインタフェースの特定撮影領域をマークする要求は、ユーザがカメラの取得した画像情報を静止するものであってもよい。つまり、撮影プレビューインタフェースにおいて、ユーザはカメラが取得した画像情報を静止する方式を採用して、撮影プレビューインタフェースにおける特定撮影領域をマークする要求を出すことができる。このような場合に対して、要求に応じて撮影プレビューインタフェースにおける対応した位置にマーク情報を表示するのは、静止された画像情報から第2特徴情報を取得して、第2特徴情報に基づきマーク情報を生成して、且つ撮影プレビューインタフェースにおける対応した位置にマーク情報を表示することを含む。本実施例において、第1特徴情報と第2特徴情報とはその本質が同じであり、いずれも画像におけるある物体の特徴情報である。第1特徴情報と第2特徴情報との区別は、第1特徴情報はユーザが選択した領域から抽出した特徴情報であり、第2特徴情報はユーザが静止した画面全体から抽出した特徴情報であることにある。
【００２８】
撮影をよりインテリジェントにさせるために、端末に自動一致コントラストを設定してもよく、即ち撮影プレビューインタフェースに同時にカメラが取得した画像情報とマーク情報を表示した後、撮影指示を受信する前に、カメラが取得した画像の中の特定撮影領域における画像とマーク情報との一致度を計算して、一致度の値が予め設定した値を超える際に、ユーザに撮影することを通知し又は端末をトリガーして撮影を起動する。一致度の計算はマーク情報の設定に基づき行う必要があり、例えばマーク情報は山の峰の輪郭であると、一致度の計算はカメラが取得した画像における山の峰の輪郭とマーク情報における輪郭の一致度の計算である。
【００２９】
本実施例において、ユーザはグラフを採用して特定撮影領域をマークした後に、被委託者に委託者の構図意志を明確に理解させるために、マーク情報の傍らにマークされた撮影領域を説明する文字情報を表示することができる。例えば山のマーク情報の傍らに「山」という文字を表示する。
【００３０】
構図をより理想にさせるために、ユーザはマークする際に、仲間の力を合わせ、一時的に撮影しようとする画面内にあり、最適な撮影位置を見つけ、次に、撮影プレビューインタフェースに人が所在する領域をマークして、端末を被委託者に渡った後に、委託者は自分を撮影プレビューインタフェースにおける人をマークする位置に置くこともできる。このように、被委託者が撮影してきた画像を委託者の構図需要により符合させることができる。
【００３１】
実施例2：
本実施例はより詳しい撮影方法を提供し、本実施例において、特定撮影領域は参照物を例として、ユーザは落書きによって特定撮影領域をマークする。図5を参照して、該方法は以下のステップを含む。
ステップS501、構図を取りプレビューし、撮影委託者はまず撮影したい背景と撮影位置を選択して、カメラのファインダーを調整して、構図をアレンジする。
【００３２】
ステップS502、落書きモードを起動し、委託者は落書きモードを起動して、参照物の位置をマークすることを準備する。
【００３３】
ステップS503、撮影委託者は参照物位置をマークして、委託者が現在の構図を満足した後に、ファインダーにおける顕著な特徴を有する物体を参照物として選択し、その特徴輪郭を手で書き、例えば山の峰の輪郭、門の上の柱、人物のヘッド部などのマーク認識しやすい物体である。
【００３４】
ステップS504、カメラを被委託者に渡って、且つ参照物の意味をはっきりと表明し、次にそれぞれ予め設定された位置に到達する。
【００３５】
ステップS505、被委託者は構図を調整して、参照物と落書きマークを一致にさせる。参照物を適切に選択すれば、一旦参照物と落書きマークが一致すると、現在の構図はほとんど撮影委託者の当時の意志に合わせる。
【００３６】
ステップS506、撮影操作を実行して、且つ撮影した画像を保存する。
【００３７】
ステップS507、端末は自動的に落書きマークを取り消す。
【００３８】
実施例3：
本実施例は撮影装置を提供して、図6を参照して、図6は該撮影装置の構造模式図であり、前記装置は要求受信モジュール601、マーク生成モジュール602、マーク表示モジュール603、画像表示モジュール604及び撮影モジュール605を含み、要求受信モジュール601は、予備撮影状態で、ユーザが撮影プレビューインタフェースの特定撮影領域をマークする要求を受信するように設定され、マーク生成モジュール602は、要求に基づきマーク情報を生成するように設定され、マーク表示モジュール603は、予備撮影状態と正式撮影状態の両方でマーク情報を撮影プレビューインタフェースに対応した位置に表示するように設定され、画像表示モジュール604は、撮影プレビューインタフェースにカメラが取得した画像情報を表示するように設定され、撮影モジュール605は、撮影指示を受信した後に、撮影操作を実行するように設定される。
【００３９】
本実施例は他の撮影装置を更に提供し、図7を参照して、図7は該撮影装置の構造模式図であり、該装置は上記装置における各モジュールを含み、要求受信モジュール601はタッチ情報受信サブモジュール6011を含み、ユーザが撮影プレビューインタフェースタッチで端末ディスプレイをタッチするタッチ情報を受信するように設定され、マーク生成モジュール602はタッチマーク生成サブモジュール6021を含み、ユーザは端末ディスプレイに対するタッチ情報に基づきマーク情報を生成するように設定され、マーク表示モジュール603はタッチマーク表示サブモジュール6031を含み、撮影プレビューインタフェースにユーザがタッチする位置にマーク情報を表示するように設定される。
【００４０】
好ましくは、タッチマーク生成サブモジュール6021はグラフマーク生成サブモジュール、軌跡マーク生成サブモジュール又は第1特徴マーク生成サブモジュールを含み、タッチマーク表示サブモジュールは対応的にグラフマーク表示サブモジュール、軌跡マーク表示サブモジュール又は第1特徴マーク表示サブモジュールを含み、グラフマーク生成サブモジュールは、タッチ情報はユーザが選択したマークグラフ及びユーザがマークグラフを置く位置を含む際に、ユーザが選択したマークグラフをマーク情報とするように設定され、グラフマーク表示サブモジュールは、撮影プレビューインタフェースにおけるユーザがマークグラフを置く位置にマークグラフを表示するように設定され、軌跡マーク生成サブモジュールは、タッチ情報はユーザの端末ディスプレイにおけるタッチ軌跡を含む際に、タッチ軌跡をマーク情報とするように設定され、軌跡マーク表示サブモジュールは、撮影プレビューインタフェースにおけるユーザがタッチする位置にマーク情報を表示するように設定され、第1特徴マーク生成サブモジュールは、タッチ情報はユーザの端末ディスプレイにおけるタッチ軌跡を含む際に、ユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成するように設定され、第1特徴マーク表示サブモジュールは、撮影プレビューインタフェースにユーザがマークグラフを置く位置にマーク情報を表示するように設定される。
【００４１】
本実施例は更に別の撮影装置を更に提供し、図8を参照して、図8は該撮影装置の構造模式図であり、該装置は上記の図6に示すような装置における各モジュールを含み、要求受信モジュール601は静止要求受信サブモジュール6012を含み、静止要求受信サブモジュール6012は、ユーザがカメラの取得した画像情報を静止する要求を受信するように設定され、マーク生成モジュール602は第2特徴マーク生成サブモジュール6022を含み、要求に基づきカメラが取得した画像情報を静止して、静止した画像情報から第2特徴情報を取得し、第2特徴情報に基づきマーク情報を生成するように設定され、マーク表示モジュール603は第2特徴マーク表示サブモジュール6032を含み、撮影プレビューインタフェースに対応した位置にマーク情報を表示するように設定される。
【００４２】
本実施例は更に他の撮影装置を更に提供し、図9を参照して、図9は該撮影装置の構造模式図であり、該装置は上記図6に示すような装置における各モジュールを含み、装置は計算モジュール606を更に含み、カメラが取得した画像の中の特定撮影領域における画像とマーク情報との一致度を計算して、一致度の値が予め設定した値を超える際に、ユーザに撮影することを通知し又は端末をトリガーして撮影を起動するように設定される。
【００４３】
実施例4：
本実施例は撮影端末を提供して、図10を参照して、図10は該撮影端末の構造模式図であり、該端末は受信モジュール701、処理モジュール702、表示モジュール703及び画像取得モジュール704を含み、画像取得モジュール704は画像情報を取得するように設定され、表示モジュール703は、撮影プレビューインタフェースに画像情報を表示するように設定され、受信モジュール701はユーザの撮影プレビューインタフェースの特定撮影領域をマークする要求を受信し、要求を受信した後に、要求を処理モジュール702に送信するように設定され、処理モジュール702は要求に基づきマーク情報を生成して、且つマーク情報を表示モジュール703に送信し、表示モジュール703は撮影プレビューインタフェースにおける対応した位置にマーク情報を表示して、受信モジュール701は更に撮影指示を受信して、且つ撮影指示を受信した後に、処理モジュール702に撮影操作を実行することを通知するように設定される。
【００４４】
本実施例は他の撮影装置を更に提供し、図11を参照して、図11は該撮影端末の構造模式図であり、該端末は上記図10に示すような端末における各モジュールを含み、受信モジュール701はタッチ受信サブモジュール7011を含み、表示モジュール703はタッチディスプレイ7031を含み、タッチ受信サブモジュール7011は、ユーザが撮影プレビューインタフェースで端末タッチディスプレイ7031をタッチするタッチ情報を受信するように設定され、処理モジュール702は、ユーザの端末タッチディスプレイ7031に対するタッチ情報に基づきマーク情報を生成して、且つ表示モジュール703に送信するように設定され、表示モジュール703は撮影プレビューインタフェースにユーザがタッチする位置にマーク情報を表示する。
【００４５】
当業者は、上記方法における全部又は一部のステップ及び上記各モジュールは、プログラムが関連のハードウェアを指令することにより完成することができ、上記プログラムはコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的には、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００４６】
以上の内容は具体的な実施形態を結合して本発明を更に詳細的に説明し、本発明の具体的な実施はこれらの説明に制限されることがない。当業者にとって、本発明の構想を逸脱しない限り、若干の簡単な進化又は置き換えを行うことができ、本発明の保護範囲に属すると見される。
【産業上の利用可能性】
【００４７】
本発明の実施例は委託者の意志に従って撮影しようとする場面を撮影できることで、撮影してきた画像が委託者の予期された効果に符合させる。
【図１】
2017525193.tif 000003
【図２ａ】
2017525193.tif 000004
【図２ｂ】
2017525193.tif 000005
【図２ｃ】
2017525193.tif 000006
【図２ｄ】
2017525193.tif 000007
【図２ｅ】
2017525193.tif 000008
【図２ｆ】
2017525193.tif 000009
【図３ａ】
2017525193.tif 000010
【図３ｂ】
2017525193.tif 000011
【図４ａ】
2017525193.tif 000012
【図４ｂ】
2017525193.tif 000013
【図５】
2017525193.tif 000014
【図６】
2017525193.tif 000015
【図７】
2017525193.tif 000016
【図８】
2017525193.tif 000017
【図９】
2017525193.tif 000018
【図１０】
2017525193.tif 000019
【図１１】
2017525193.tif 000020
【手続補正書】
【提出日】平成28年12月9日(2016.12.9)
【手続補正１】
【補正対象書類名】明細書
【補正対象項目名】全文
【補正方法】変更
【補正の内容】
【発明の詳細な説明】
【技術分野】
【０００１】
本発明は写真撮影分野に関し、特に撮影方法、装置及び端末に関する。
【背景技術】
【０００２】
生活レベルの向上に伴って、より多くの人々は撮影機器を持って、撮影が好きである人も多くなる。写真を撮る際に、三脚を連れていないと、撮影した人は被撮影画面内に立てられないため、他人の助けを求め、他人を頼んで自分を撮影する場合が多い。しかし、個人的な撮影技術と構図の好みによって、他人を頼んで撮影した写真の構図は自分の所望の画像と効果が異なる。
【発明の概要】
【発明が解決しようとする課題】
【０００３】
本発明の実施例は従来の技術における他人を頼んで撮影する際に、被委託者が撮った画像は予期される効果に達することができない問題を解決するように、撮影方法、装置及び端末を提供する。
【課題を解決するための手段】
【０００４】
本発明の実施例による撮影方法は、予備撮影状態で、ユーザが撮影プレビューインタフェースの特定撮影領域をマークする要求を受信して、要求に応じてマーク情報を生成して撮影プレビューインタフェースにおける対応した位置に表示するステップと、正式撮影状態で、撮影プレビューインタフェースに同時にカメラが取得した画像情報とマーク情報を表示するステップと、撮影指示を受信した後に、撮影操作を実行するステップとを含む。
【０００５】
本発明の一実施例において、ユーザが撮影プレビューインタフェースの特定撮影領域をマークする要求を受信するのは、ユーザが撮影プレビューインタフェースで端末ディスプレイをタッチするタッチ情報を受信することを含み、
要求に応じてマーク情報を生成して撮影プレビューインタフェースにおける対応した位置に表示するのは、ユーザの端末ディスプレイに対するタッチ情報に基づきマーク情報を生成して、且つ撮影プレビューインタフェースにおけるユーザがタッチする位置にマーク情報を表示することを含む。
【０００６】
本発明の一実施例において、タッチ情報はユーザが選択したマークグラフ及びユーザがマークグラフを置く位置を含む際に、要求に応じてマーク情報を生成して撮影プレビューインタフェースにおける対応した位置に表示するのは、ユーザが選択したマークグラフをマーク情報として、且つ撮影プレビューインタフェースにおけるユーザがマークグラフを置く位置にマークグラフを表示することを含み、
タッチ情報はユーザの端末ディスプレイにおけるタッチ軌跡を含む際に、
タッチ軌跡をマーク情報として、撮影プレビューインタフェースにおけるユーザがタッチする位置にマーク情報を表示する方式、
又はユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成して、撮影プレビューインタフェースにおけるユーザタッチの位置にマーク情報を表示する方式、の中の一つを採用してマーク情報を生成して撮影プレビューインタフェースにおける対応した位置に表示する。
【０００７】
本発明の一実施例において、ユーザが撮影プレビューインタフェースの特定撮影領域をマークする要求を受信するのは、ユーザがカメラの取得した画像情報を静止する要求を受信することを含み、
要求に応じてマーク情報を生成して撮影プレビューインタフェースにおける対応した位置に表示するのは、要求に基づきカメラが取得した画像情報を静止して、静止した画像情報から第2特徴情報を取得し、第2特徴情報に基づきマーク情報を生成して、且つ撮影プレビューインタフェースにおける対応した位置にマーク情報を表示することを含む。
【０００８】
本発明の一実施例において、撮影プレビューインタフェースに同時にカメラが取得した画像情報とマーク情報を表示した後に、撮影指示を受信する前に、カメラが取得した画像の中の特定撮影領域における画像とマーク情報との一致度を計算して、一致度の値が予め設定した値を超える際に、ユーザに撮影することを通知し又は端末をトリガーして撮影を起動することを更に含む。
【０００９】
本発明の実施例は撮影装置を更に提供し、要求受信モジュール、マーク生成モジュール、マーク表示モジュール、画像表示モジュール及び撮影モジュールを含み、要求受信モジュールは、予備撮影状態で、ユーザが撮影プレビューインタフェースの特定撮影領域をマークする要求を受信するように設定され、マーク生成モジュールは、要求に基づきマーク情報を生成するように設定され、マーク表示モジュールは、予備撮影状態と正式撮影状態の両方でマーク情報を撮影プレビューインタフェースに対応した位置に表示するように設定され、画像表示モジュールは、撮影プレビューインタフェースにカメラが取得した画像情報を表示するように設定され、
撮影モジュールは、撮影指示を受信した後に、撮影操作を実行するように設定される。
【００１０】
本発明の一実施例において、要求受信モジュールはユーザが撮影プレビューインタフェースで端末ディスプレイをタッチするタッチ情報を受信するように設定されるタッチ情報受信サブモジュールを含み、マーク生成モジュールはユーザの端末ディスプレイに対するタッチ情報に基づきマーク情報を生成するように設定されるタッチマーク生成サブモジュールを含み、マーク表示モジュールは撮影プレビューインタフェースにユーザがタッチする位置にマーク情報を表示するように設定されるタッチマーク表示サブモジュールを含む。
【００１１】
本発明の一実施例において、タッチマーク生成サブモジュールはグラフマーク生成サブモジュール、軌跡マーク生成サブモジュール又は第1特徴マーク生成サブモジュールを含み、タッチマーク表示サブモジュールは対応的にグラフマーク表示サブモジュール、軌跡マーク表示サブモジュール又は第1特徴マーク表示サブモジュールを含み、
グラフマーク生成サブモジュールは、タッチ情報がユーザが選択したマークグラフ及びユーザがマークグラフを置く位置を含む際に、ユーザが選択したマークグラフをマーク情報とするように設定され、グラフマーク表示サブモジュールは、撮影プレビューインタフェースにおけるユーザがマークグラフを置く位置にマークグラフを表示するように設定され、
軌跡マーク生成サブモジュールは、タッチ情報がユーザの端末ディスプレイにおけるタッチ軌跡を含む際に、タッチ軌跡をマーク情報とするように設定され、軌跡マーク表示サブモジュールは、撮影プレビューインタフェースにおけるユーザがタッチする位置にマーク情報を表示するように設定され、
第1特徴マーク生成サブモジュールは、タッチ情報がユーザの端末ディスプレイにおけるタッチ軌跡を含む際に、ユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成するように設定され、第1特徴マーク表示サブモジュールは、撮影プレビューインタフェースにユーザがタッチした位置にマーク情報を表示するように設定される。
本発明の一実施例において、要求受信モジュールは静止要求受信サブモジュールを含み、静止要求受信サブモジュールは、ユーザがカメラが取得した画像情報を静止する要求を受信するように設定され、
マーク生成モジュールは、要求に基づきカメラが取得した画像情報を静止して、静止した画像情報から第2特徴情報を取得し、第2特徴情報に基づきマーク情報を生成するように設定される第2特徴マーク生成サブモジュールを含み、マーク表示モジュールは、撮影プレビューインタフェースにおける対応した位置にマーク情報を表示するように設定される第2特徴マーク表示サブモジュールを含む。
【００１２】
本発明の一実施例において、装置は、カメラが取得した画像の中の特定撮影領域における画像とマーク情報との一致度を計算して、一致度の値が予め設定した値を超える際に、ユーザに撮影することを通知し又は端末をトリガーして撮影を起動するように設定される計算モジュールを更に含む。
【００１３】
本発明は撮影端末を更に提供し、受信モジュール、処理モジュール、表示モジュール及び画像取得モジュールを含み、画像取得モジュールは画像情報を取得するように設定され、表示モジュールは、撮影プレビューインタフェースに画像情報を表示するように設定され、受信モジュールは、ユーザが撮影プレビューインタフェースの特定撮影領域をマークする要求を受信して、要求を受信した後に、要求を処理モジュールに送信するように設定され、処理モジュールは、要求に基づきマーク情報を生成して、且つマーク情報を表示モジュールに送信するように設定され、表示モジュールは更に撮影プレビューインタフェースにおける対応した位置にマーク情報を表示するように設定され、受信モジュールは更に撮影指示を受信して、且つ撮影指示を受信した後に、処理モジュールに撮影操作を実行することを通知するように設定される。
【００１４】
本発明の一実施例において、受信モジュールはタッチ受信サブモジュールを含み、表示モジュールはタッチディスプレイを含み、タッチ受信サブモジュールは、ユーザが撮影プレビューインタフェースで端末のタッチディスプレイをタッチするタッチ情報を受信するように設定され、処理モジュールは、ユーザのタッチディスプレイに対するタッチ情報に基づきマーク情報を生成して、且つ表示モジュールに送信するように設定され、表示モジュールは撮影プレビューインタフェースにユーザがタッチする位置にマーク情報を表示するように設定される。
【発明の効果】
【００１５】
本発明の実施例による撮影方法は正式撮影を行う前に、ユーザが撮影プレビューインタフェースの特定撮影領域をマークする要求を受信して、且つ要求に応じてマーク情報を生成して撮影プレビューインタフェースにおける対応した位置に表示し、正式撮影状態で、撮影プレビューインタフェースに同時にカメラが取得した画像情報とマーク情報を表示することによって、撮影被委託者にマーク情報に基づき委託者が置きたい画像の位置を知らせ、更に委託者の意志に従って撮影場面を撮影することで、撮影してきた画像が委託者の予期された効果に符合させる。
【図面の簡単な説明】
【００１６】
【図１】図1は本発明の実施例1による一撮影方法を示すフローチャートである。
【図２ａ】図2aは本発明の実施例1による一撮影方法において、予備撮影状態で撮影プレビューインタフェースに表示した画像である。
【図２ｂ】図2bは本発明の実施例1による一撮影方法において、予備撮影状態でユーザは特定撮影領域においてグラフを描いた後の撮影プレビューインタフェースである。
【図２ｃ】図2cは本発明の実施例1による一撮影方法において、端末に表示したマーク情報である。
【図２ｄ】図2dは本発明の実施例1による一撮影方法において、正式撮影状態で同時にカメラが取得した画像情報とマーク情報を表示する端末の撮影プレビューインタフェースである。
【図２ｅ】図2eは本発明の実施例1による一撮影方法において、正式撮影状態で同時にカメラが取得した画像情報とマーク情報を表示する他の端末の撮影プレビューインタフェースである。
【図２ｆ】図2fは本発明の実施例1による一撮影方法において、撮影が終わった後に端末が撮影した画像情報である。
【図３ａ】図3aは本発明の実施例1による他の撮影方法において、端末が特定撮影領域において特徴情報を取得した撮影プレビューインタフェースである。
【図３ｂ】図3bは発明実施例1による他の撮影方法において、端末が表示したマーク情報である。
【図４ａ】図4aは本発明の実施例1による更に別の撮影方法において、ユーザは特定撮影領域においてマークグラフを置いた撮影プレビューインタフェースである。
【図４ｂ】図4bは発明実施例1による更に別の撮影方法において、端末に表示したマーク情報である。
【図５】図5は本発明の実施例2による一撮影方法を示すフローチャートである。
【図６】図6は本発明の実施例3による撮影装置を示す構造模式図である。
【図７】図7は本発明の実施例3による他の撮影装置を示す構造模式図である。
【図８】図8は本発明の実施例3による更に別の撮影装置を示す構造模式図である。
【図９】図9は本発明の実施例3による更に他の撮影装置を示す構造模式図である。
【図１０】図10は本発明の実施例4による撮影端末を示す構造模式図である。
【図１１】図11は本発明の実施例4による他の撮影端末を示す構造模式図である。
【発明を実施するための形態】
【００１７】
本発明の実施例による撮影方法は、予備撮影状態で、ユーザは撮影プレビューインタフェースに特定撮影領域をマークするステップ、端末はユーザが撮影プレビューインタフェースにおける特定撮影領域をマークする要求を受信した後に、前記要求に基づきマーク情報を生成して、且つ撮影プレビューインタフェースにおける対応した位置に表示するステップ、及び正式撮影状態で、ユーザはマーク情報に基づきカメラが取得した画像を撮影するステップを含む。予備撮影状態と正式撮影状態の両方は端末が撮影モードに入った状態であり、予備撮影状態と正式撮影状態との区別は、予備撮影状態とはユーザが特定撮影領域をマークする際の端末の状態を指し、正式撮影状態とはユーザがマーク情報に基づきカメラが取得した画像情報を撮影しようとする際の端末の状態を指すことにある。撮影プレビューインタフェースはカメラがリアルタイムに取得した画像情報を表示するインタフェースである。特定撮影領域はユーザが指定したマークする領域も含み、またカメラが取得した画像における特徴が顕著な領域も含む。
【００１８】
以下、具体的な実施例を採用して上記撮影方法、装置及び端末を説明し、衝突しない場合に、本発明の実施例及び実施例における特徴を互いに任意に組み合わせることができる。
【００１９】
実施例1
本実施例は撮影方法を提供し、図1を参照して、図1は該撮影方法のフローチャートであり、該方法は、以下のステップを含む。
ステップS101、予備撮影状態で、ユーザが撮影プレビューインタフェースの特定撮影領域をマークする要求を受信して、要求に応じてマーク情報を生成して撮影プレビューインタフェースにおける対応した位置に表示する。
ステップS102、正式撮影状態で、撮影プレビューインタフェースに同時にカメラが取得した画像情報とマーク情報を表示する。
ステップS103、撮影指示を受信した後に、撮影操作を実行する。
【００２０】
本実施例による撮影方法は主に他人を頼んで撮影する際に、被委託者が委託者の意志に応じて撮影させることができる。このため、上記ステップS101におけるユーザは一般的に委託者を指す。ユーザは自分の好みに基づき、まず撮影しようとする背景と撮影位置を選択して、カメラのファインダーを調整し、構図をアレンジする。次に撮影プレビューインタフェースにおける特定撮影領域をマークして、特定撮影領域はユーザによって指定されてもよいし、端末によりアルゴリズムなどの方式によって確定されてもよい。端末はユーザが撮影プレビューインタフェースにおける特定撮影領域をマークする要求を受信した後に、要求に基づき相応なマーク情報を生成して、且つ撮影プレビューインタフェースにおける対応した位置に表示する。ステップS102において、端末は撮影プレビューインタフェースに同時にカメラが取得した画像情報とマーク情報を表示する。カメラが取得した画像情報はカメラの移動によって変化し、ユーザは修正しない限り、撮影プレビューインタフェースに表示したマーク情報の形状及び位置は変化しない。端末は撮影プレビューインタフェースに同時にカメラが取得した画像情報と設定したマーク情報を表示する目的は、被委託者に委託者の撮影構図意志を明確に理解させ、被委託者はカメラが取得した画像における各特定領域を対応したマーク情報に置くだけで、次に撮影して、撮影してきた写真の構図は委託者の所望の構図と一致する。
【００２１】
上記ステップS103において、撮影操作を実行した後に、記憶した撮影画像はマーク情報を含まない。好ましくは、撮影が終わった後に、撮影プレビューインタフェースに表示したマーク情報も取り消す。
【００２２】
上記ステップS101において、撮影プレビューインタフェースに、ユーザが端末ディスプレイをタッチするによって撮影プレビューインタフェースにおける特定撮影領域をマークする要求を実現することができる。この時、ユーザが撮影プレビューインタフェースの特定撮影領域をマークする要求を受信するのは、ユーザが撮影プレビューインタフェースで端末ディスプレイをタッチするタッチ情報を受信することを含む。端末はユーザが撮影プレビューインタフェースにおけるタッチ情報を受信した後に、端末はユーザが端末ディスプレイに対するタッチ情報に基づきマーク情報を生成して、且つ撮影プレビューインタフェースにユーザがタッチする位置にマーク情報を表示する。
【００２３】
好ましくは、ユーザは端末ディスプレイに対するタッチに異なる状況が存在するため、端末は受信したユーザが端末ディスプレイをタッチするタッチ情報も異なりが存在し、例えばユーザは端末ディスプレイに対するタッチがディスプレイにグラフ（例えば落書き）を描くことである際に、タッチ情報はユーザの端末ディスプレイにおけるタッチ軌跡を含み、撮影プレビューインタフェースにドラッグできるマークグラフを有すると、ユーザはマークグラフをドラッグする際にも端末ディスプレイをタッチする必要もあり、この時、ユーザは端末ディスプレイに対するタッチは端末ディスプレイにグラフをドラッグすることであり、タッチ情報はユーザが選択したマークグラフ及びユーザがマークグラフを置く位置（即ちユーザがマークグラフへのドラッグを停止する位置）を含む。
【００２４】
タッチ情報はユーザの端末ディスプレイにおけるタッチ軌跡を含む際に、直接にタッチ軌跡に基づきマーク情報を生成して撮影プレビューインタフェースに表示することができ、例えば、ユーザのディスプレイにおけるタッチ軌跡を抽出して、タッチ軌跡をマーク情報として、撮影プレビューインタフェースにおけるユーザがタッチする位置にマーク情報を表示する。このような方法をより良く説明するために、以下、一つの例示的な例によって説明し、図2aを参照して、撮影プレビューインタフェースに表示した主な画像は1つのツリーと1つのハウスであり、ユーザはディスプレイにはグラフを描くことによって特定撮影領域をマークし、ここで、特定撮影領域はユーザが指定したツリーとハウスの所在する領域を指す。図2bにおける点線を参照して、ユーザはツリーの特徴に基づきツリーの周辺に1つの楕円を描き、ハウスの形状に基づき1つの不規則なグラフを描く。端末はユーザのタッチ情報を受信した後に、ユーザのディスプレイにおけるタッチ軌跡、即ち1つの楕円と1つの不規則なグラフを抽出し、タッチ軌跡をマーク情報として、且つ撮影プレビューインタフェースに対応した位置に表示する。図2cを参照して、図2cは2つのマーク情報の撮影プレビューインタフェースにおける表示である。ユーザはカメラを被委託者に渡った後に、撮影しようとする場面に立て、被委託者はカメラを撮影しようとする場面に位置合わせ、この時ツリーとハウスはいずれもマーク情報内に位置しなく、図2dを参照して、このような撮影構図は委託者の意志に符合しない。それで、ツリーとハウスとはそれぞれマーク情報内に位置するまで、被委託者はカメラの角度を調整して、図2eに示すように、次に、委託者はシャッターを押して、撮影操作を実行して、撮影が終わった後に、撮影画像を取得し、図2fを参照して、撮影画像にマーク情報が含まない。
【００２５】
タッチ情報はユーザの端末ディスプレイにおけるタッチ軌跡を含む際に、マーク情報の設定をより速くにさせるために、端末が自動的にマーク情報を設定させることもでき、例えばユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成し、マーク情報を撮影プレビューインタフェースにおけるユーザがタッチした位置に置く。第1特徴情報はユーザのタッチ選択領域に表示した画像における顕著である情報を代表して、これらの情報は該領域画像の特点、例えば該領域におけるある物体のピーク点、ある物体の輪郭等を代表する。例えば図3aにおけるハウスの屋根上の黒い三角形301はハウスの屋根の特徴情報であり、ツリー上の1つの不規則な形状302はツリーの頂端の輪郭特徴情報であり、端末はこれらの特徴情報を抽出した後に、マーク情報を生成して撮影プレビューインタフェースに表示し、図3bは2つのマーク情報の撮影プレビューインタフェースにおける表示である。
【００２６】
タッチ情報はユーザが選択したマークグラフ及びユーザがマークグラフを置く位置を含む際に、ユーザが選択したマークグラフをマーク情報として、且つ撮影プレビューインタフェースにおけるユーザがマークグラフを置く位置にマークグラフを表示することができる。マークグラフは既に端末に存在したグラフであり、これらのグラフは幾何グラフであってもよいし、いくつかの具体的な物体を代表する画像、例えば山、ハウス、猫、人等であってもよい。ユーザは撮影プレビューインタフェースに1つの山の位置をマークする必要があると、山を代表する1つのマークグラフをプレビューインタフェースにおける山に対応した位置に置くことができる。例えば図4aにおけるハウスマークグラフ401とツリーマークグラフ402である。ユーザは選択したハウスマークグラフ401を撮影プレビューインタフェースにおけるハウスを表示する領域内に置き、選択したツリーマークグラフ402をツリーを表示する領域内に置き、端末はこれらのマークグラフをマーク情報としてプレビューインタフェースに対応した位置に表示し、図4bは2つのマーク情報の撮影プレビューインタフェースにおける表示である。このことから、このようなマーク方式は非常に簡単であり、且つ意思が明確で、ユーザはこのような方式によってマークした後に、他人に渡って撮影する際に、他人がユーザの理想的な構図を知ることができることがわかる。
【００２７】
上記ステップS101において、ユーザが撮影プレビューインタフェースの特定撮影領域をマークする要求は、ユーザがカメラの取得した画像情報を静止するものであってもよい。つまり、撮影プレビューインタフェースにおいて、ユーザはカメラが取得した画像情報を静止する方式を採用して、撮影プレビューインタフェースにおける特定撮影領域をマークする要求を出すことができる。このような場合に対して、要求に応じて撮影プレビューインタフェースにおける対応した位置にマーク情報を表示するのは、静止された画像情報から第2特徴情報を取得して、第2特徴情報に基づきマーク情報を生成して、且つ撮影プレビューインタフェースにおける対応した位置にマーク情報を表示することを含む。本実施例において、第1特徴情報と第2特徴情報とはその本質が同じであり、いずれも画像におけるある物体の特徴情報である。第1特徴情報と第2特徴情報との区別は、第1特徴情報はユーザが選択した領域から抽出した特徴情報であり、第2特徴情報はユーザが静止した画面全体から抽出した特徴情報であることにある。
【００２８】
撮影をよりインテリジェントにさせるために、端末に自動一致コントラストを設定してもよく、即ち撮影プレビューインタフェースに同時にカメラが取得した画像情報とマーク情報を表示した後、撮影指示を受信する前に、カメラが取得した画像の中の特定撮影領域における画像とマーク情報との一致度を計算して、一致度の値が予め設定した値を超える際に、ユーザに撮影することを通知し又は端末をトリガーして撮影を起動する。一致度の計算はマーク情報の設定に基づき行う必要があり、例えばマーク情報は山の峰の輪郭であると、一致度の計算はカメラが取得した画像における山の峰の輪郭とマーク情報における輪郭の一致度の計算である。
【００２９】
本実施例において、ユーザはグラフを採用して特定撮影領域をマークした後に、被委託者に委託者の構図意志を明確に理解させるために、マーク情報の傍らにマークされた撮影領域を説明する文字情報を表示することができる。例えば山のマーク情報の傍らに「山」という文字を表示する。
【００３０】
構図をより理想にさせるために、ユーザはマークする際に、仲間の力を合わせ、一時的に撮影しようとする画面内にあり、最適な撮影位置を見つけ、次に、撮影プレビューインタフェースに人が所在する領域をマークして、端末を被委託者に渡った後に、委託者は自分を撮影プレビューインタフェースにおける人をマークする位置に置くこともできる。このように、被委託者が撮影してきた画像を委託者の構図需要により符合させることができる。
【００３１】
実施例2：
本実施例はより詳しい撮影方法を提供し、本実施例において、特定撮影領域は参照物を例として、ユーザは落書きによって特定撮影領域をマークする。図5を参照して、該方法は以下のステップを含む。
ステップS501、構図を取りプレビューし、撮影委託者はまず撮影したい背景と撮影位置を選択して、カメラのファインダーを調整して、構図をアレンジする。
【００３２】
ステップS502、落書きモードを起動し、委託者は落書きモードを起動して、参照物の位置をマークすることを準備する。
【００３３】
ステップS503、撮影委託者は参照物位置をマークして、委託者が現在の構図を満足した後に、ファインダーにおける顕著な特徴を有する物体を参照物として選択し、その特徴輪郭を手で書き、例えば山の峰の輪郭、門の上の柱、人物のヘッド部などのマーク認識しやすい物体である。
【００３４】
ステップS504、カメラを被委託者に渡って、且つ参照物の意味をはっきりと表明し、次にそれぞれ予め設定された位置に到達する。
【００３５】
ステップS505、被委託者は構図を調整して、参照物と落書きマークを一致にさせる。参照物を適切に選択すれば、一旦参照物と落書きマークが一致すると、現在の構図はほとんど撮影委託者の当時の意志に合わせる。
【００３６】
ステップS506、撮影操作を実行して、且つ撮影した画像を保存する。
【００３７】
ステップS507、端末は自動的に落書きマークを取り消す。
【００３８】
実施例3：
本実施例は撮影装置を提供して、図6を参照して、図6は該撮影装置の構造模式図であり、前記装置は要求受信モジュール601、マーク生成モジュール602、マーク表示モジュール603、画像表示モジュール604及び撮影モジュール605を含み、要求受信モジュール601は、予備撮影状態で、ユーザが撮影プレビューインタフェースの特定撮影領域をマークする要求を受信するように設定され、マーク生成モジュール602は、要求に基づきマーク情報を生成するように設定され、マーク表示モジュール603は、予備撮影状態と正式撮影状態の両方でマーク情報を撮影プレビューインタフェースに対応した位置に表示するように設定され、画像表示モジュール604は、撮影プレビューインタフェースにカメラが取得した画像情報を表示するように設定され、撮影モジュール605は、撮影指示を受信した後に、撮影操作を実行するように設定される。
【００３９】
本実施例は他の撮影装置を更に提供し、図7を参照して、図7は該撮影装置の構造模式図であり、該装置は上記装置における各モジュールを含み、要求受信モジュール601はタッチ情報受信サブモジュール6011を含み、ユーザが撮影プレビューインタフェースタッチで端末ディスプレイをタッチするタッチ情報を受信するように設定され、マーク生成モジュール602はタッチマーク生成サブモジュール6021を含み、ユーザは端末ディスプレイに対するタッチ情報に基づきマーク情報を生成するように設定され、マーク表示モジュール603はタッチマーク表示サブモジュール6031を含み、撮影プレビューインタフェースにユーザがタッチする位置にマーク情報を表示するように設定される。
【００４０】
好ましくは、タッチマーク生成サブモジュール6021はグラフマーク生成サブモジュール、軌跡マーク生成サブモジュール又は第1特徴マーク生成サブモジュールを含み、タッチマーク表示サブモジュールは対応的にグラフマーク表示サブモジュール、軌跡マーク表示サブモジュール又は第1特徴マーク表示サブモジュールを含み、グラフマーク生成サブモジュールは、タッチ情報はユーザが選択したマークグラフ及びユーザがマークグラフを置く位置を含む際に、ユーザが選択したマークグラフをマーク情報とするように設定され、グラフマーク表示サブモジュールは、撮影プレビューインタフェースにおけるユーザがマークグラフを置く位置にマークグラフを表示するように設定され、軌跡マーク生成サブモジュールは、タッチ情報はユーザの端末ディスプレイにおけるタッチ軌跡を含む際に、タッチ軌跡をマーク情報とするように設定され、軌跡マーク表示サブモジュールは、撮影プレビューインタフェースにおけるユーザがタッチする位置にマーク情報を表示するように設定され、第1特徴マーク生成サブモジュールは、タッチ情報はユーザの端末ディスプレイにおけるタッチ軌跡を含む際に、ユーザの端末ディスプレイにおけるタッチ軌跡に基づきユーザのタッチ選択領域を確定し、ユーザのタッチ選択領域に表示した画像の第1特徴情報を抽出して、第1特徴情報に基づきマーク情報を生成するように設定され、第1特徴マーク表示サブモジュールは、撮影プレビューインタフェースにユーザがタッチした位置にマーク情報を表示するように設定される。
【００４１】
本実施例は更に別の撮影装置を更に提供し、図8を参照して、図8は該撮影装置の構造模式図であり、該装置は上記の図6に示すような装置における各モジュールを含み、要求受信モジュール601は静止要求受信サブモジュール6012を含み、静止要求受信サブモジュール6012は、ユーザがカメラの取得した画像情報を静止する要求を受信するように設定され、マーク生成モジュール602は第2特徴マーク生成サブモジュール6022を含み、要求に基づきカメラが取得した画像情報を静止して、静止した画像情報から第2特徴情報を取得し、第2特徴情報に基づきマーク情報を生成するように設定され、マーク表示モジュール603は第2特徴マーク表示サブモジュール6032を含み、撮影プレビューインタフェースに対応した位置にマーク情報を表示するように設定される。
【００４２】
本実施例は更に他の撮影装置を更に提供し、図9を参照して、図9は該撮影装置の構造模式図であり、該装置は上記図6に示すような装置における各モジュールを含み、装置は計算モジュール606を更に含み、カメラが取得した画像の中の特定撮影領域における画像とマーク情報との一致度を計算して、一致度の値が予め設定した値を超える際に、ユーザに撮影することを通知し又は端末をトリガーして撮影を起動するように設定される。
【００４３】
実施例4：
本実施例は撮影端末を提供して、図10を参照して、図10は該撮影端末の構造模式図であり、該端末は受信モジュール701、処理モジュール702、表示モジュール703及び画像取得モジュール704を含み、画像取得モジュール704は画像情報を取得するように設定され、表示モジュール703は、撮影プレビューインタフェースに画像情報を表示するように設定され、受信モジュール701はユーザの撮影プレビューインタフェースの特定撮影領域をマークする要求を受信し、要求を受信した後に、要求を処理モジュール702に送信するように設定され、処理モジュール702は要求に基づきマーク情報を生成して、且つマーク情報を表示モジュール703に送信し、表示モジュール703は撮影プレビューインタフェースにおける対応した位置にマーク情報を表示して、受信モジュール701は更に撮影指示を受信して、且つ撮影指示を受信した後に、処理モジュール702に撮影操作を実行することを通知するように設定される。
【００４４】
本実施例は他の撮影装置を更に提供し、図11を参照して、図11は該撮影端末の構造模式図であり、該端末は上記図10に示すような端末における各モジュールを含み、受信モジュール701はタッチ受信サブモジュール7011を含み、表示モジュール703はタッチディスプレイ7031を含み、タッチ受信サブモジュール7011は、ユーザが撮影プレビューインタフェースで端末タッチディスプレイ7031をタッチするタッチ情報を受信するように設定され、処理モジュール702は、ユーザの端末タッチディスプレイ7031に対するタッチ情報に基づきマーク情報を生成して、且つ表示モジュール703に送信するように設定され、表示モジュール703は撮影プレビューインタフェースにユーザがタッチする位置にマーク情報を表示する。
【００４５】
当業者は、上記方法における全部又は一部のステップ及び上記各モジュールは、プログラムが関連のハードウェアを指令することにより完成することができ、上記プログラムはコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的には、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００４６】
以上の内容は具体的な実施形態を結合して本発明を更に詳細的に説明し、本発明の具体的な実施はこれらの説明に制限されることがない。当業者にとって、本発明の構想を逸脱しない限り、若干の簡単な進化又は置き換えを行うことができ、本発明の保護範囲に属すると見される。
【産業上の利用可能性】
【００４７】
本発明の実施例は委託者の意志に従って撮影しようとする場面を撮影できることで、撮影してきた画像が委託者の予期された効果に符合させる。
【手続補正２】
【補正対象書類名】特許請求の範囲
【補正対象項目名】全文
【補正方法】変更
【補正の内容】
【特許請求の範囲】
【請求項１】
予備撮影状態で、ユーザが撮影プレビューインタフェースの特定撮影領域をマークする要求を受信して、前記要求に基づきマーク情報を生成して前記撮影プレビューインタフェースにおける対応した位置に表示するステップと、
正式撮影状態で、前記撮影プレビューインタフェースに同時にカメラが取得した画像情報と前記マーク情報を表示するステップと、撮影指示を受信した後に、撮影操作を実行するステップと、を含む撮影方法。
【請求項２】
前記ユーザが撮影プレビューインタフェースの特定撮影領域をマークする要求を受信するのは、ユーザが撮影プレビューインタフェースで端末ディスプレイをタッチするタッチ情報を受信することを含み、
前記要求に基づきマーク情報を生成して前記撮影プレビューインタフェースにおける対応した位置に表示するのは、ユーザの端末ディスプレイに対するタッチ情報に基づきマーク情報を生成して、且つ撮影プレビューインタフェースにおけるユーザがタッチする位置に前記マーク情報を表示することを含む請求項1に記載の撮影方法。
【請求項３】
前記タッチ情報はユーザが選択したマークグラフ及びユーザが前記マークグラフを置く位置を含む際に、前記要求に基づきマーク情報を生成して前記撮影プレビューインタフェースにおける対応した位置に表示するのは、ユーザが選択したマークグラフをマーク情報として、且つ撮影プレビューインタフェースにおけるユーザが前記マークグラフを置く位置に前記マークグラフを表示することを含み、
前記タッチ情報はユーザの前記端末ディスプレイにおけるタッチ軌跡を含む際に、
前記タッチ軌跡をマーク情報として、撮影プレビューインタフェースにおけるユーザがタッチする位置に前記マーク情報を表示する方式、
又は前記ユーザの端末ディスプレイにおけるタッチ軌跡に基づきユーザのタッチ選択領域を確定して、ユーザのタッチ選択領域に表示した画像の第1特徴情報を抽出し、前記第1特徴情報に基づきマーク情報を生成して、撮影プレビューインタフェースにおけるユーザがタッチする位置に前記マーク情報を表示する方式、の一つを採用してマーク情報を生成して且つ前記撮影プレビューインタフェースにおける対応した位置に表示することができる請求項2に記載の撮影方法。
【請求項４】
前記ユーザが撮影プレビューインタフェースの特定撮影領域をマークする要求を受信するのは、ユーザがカメラの取得した画像情報を静止する要求を受信することを含み、
前記要求に基づきマーク情報を生成して前記撮影プレビューインタフェースにおける対応した位置に表示するのは、前記要求に基づきカメラが取得した画像情報を静止して、前記静止した画像情報から第2特徴情報を取得して、前記第2特徴情報に基づきマーク情報を生成し、且つ撮影プレビューインタフェースにおける対応した位置に前記マーク情報を表示することを含む請求項1に記載の撮影方法。
【請求項５】
前記撮影プレビューインタフェースに同時にカメラが取得した画像情報と前記マーク情報を表示した後、撮影指示を受信する前に、前記カメラが取得した画像において特定撮影領域における画像と前記マーク情報との一致度を計算して、前記一致度の値が予め設定された値を超える際に、ユーザに撮影することを通知し又は端末をトリガーして撮影を起動することを更に含む請求項1-4のいずれか一項に記載の撮影方法。
【請求項６】
要求受信モジュール、マーク生成モジュール、マーク表示モジュール、画像表示モジュール及び撮影モジュールを含み、
前記要求受信モジュールは、予備撮影状態で、ユーザが撮影プレビューインタフェースの特定撮影領域をマークする要求を受信するように設定され、
前記マーク生成モジュールは、前記要求に基づきマーク情報を生成するように設定され、
前記マーク表示モジュールは、予備撮影状態と正式撮影状態の両方で前記マーク情報を前記撮影プレビューインタフェースにおける対応した位置に表示するように設定され、
前記画像表示モジュールは、前記撮影プレビューインタフェースにカメラが取得した画像情報を表示するように設定され、
前記撮影モジュールは、撮影指示を受信した後に、撮影操作を実行するように設定される撮影装置。
【請求項７】
前記要求受信モジュールは、ユーザが撮影プレビューインタフェースで端末ディスプレイをタッチするタッチ情報を受信するように設定されるタッチ情報受信サブモジュールを含み、
前記マーク生成モジュールは、ユーザの端末ディスプレイに対するタッチ情報に基づきマーク情報を生成するように設定されるタッチマーク生成サブモジュールを含み、
前記マーク表示モジュールは、撮影プレビューインタフェースにおけるユーザがタッチする位置に前記マークを表示するように設定されるタッチマーク表示サブモジュールを含む情報請求項6に記載の撮影装置。
【請求項８】
前記タッチマーク生成サブモジュールはグラフマーク生成サブモジュール、軌跡マーク生成サブモジュール又は第1特徴マーク生成サブモジュールを含み、前記タッチマーク表示サブモジュールは対応的にグラフマーク表示サブモジュール、軌跡マーク表示サブモジュール又は第1特徴マーク表示サブモジュールを含み、
前記グラフマーク生成サブモジュールは、前記タッチ情報にユーザが選択したマークグラフ及びユーザが前記マークグラフを置く位置を含む際に、ユーザが選択したマークグラフをマーク情報とするように設定され、前記グラフマーク表示サブモジュールは、撮影プレビューインタフェースにおけるユーザが前記マークグラフを置く位置に前記マークグラフを表示するように設定され、
前記軌跡マーク生成サブモジュールは、前記タッチ情報がユーザの前記端末ディスプレイにおけるタッチ軌跡を含む際に、前記タッチ軌跡をマーク情報とするように設定され、前記軌跡マーク表示サブモジュールは、撮影プレビューインタフェースにおけるユーザがタッチする位置に前記マーク情報を表示するように設定され、
前記第1特徴マーク生成サブモジュールは、前記タッチ情報がユーザの前記端末ディスプレイにおけるタッチ軌跡を含む際に、前記ユーザの端末ディスプレイにおけるタッチ軌跡に基づきユーザのタッチ選択領域を確定して、ユーザのタッチ選択領域に表示した画像の第1特徴情報を抽出して、前記第1特徴情報に基づきマーク情報を生成するように設定され、前記第1特徴マーク表示サブモジュールは、撮影プレビューインタフェースにおけるユーザがタッチした位置に前記マーク情報を表示するように設定される請求項7に記載の撮影装置
【請求項９】
前記要求受信モジュールは静止要求受信サブモジュールを含み、前記静止要求受信サブモジュールは、ユーザがカメラの取得した画像情報を静止する要求を受信するように設定され、
前記マーク生成モジュールは、前記要求に基づきカメラが取得した画像情報を静止して、前記静止した画像情報から第2特徴情報を取得し、前記第2特徴情報に基づきマーク情報を生成するように設定される第2特徴マーク生成サブモジュールを含み、前記マーク表示モジュールは、撮影プレビューインタフェースにおける対応した位置に前記マーク情報を表示するように設定される第2特徴マーク表示サブモジュールを含む請求項6に記載の撮影装置。
【請求項１０】
前記カメラが取得した画像の中の特定撮影領域における画像と前記マーク情報との一致度を計算して、前記一致度の値が予め設定された値を超える際に、ユーザに撮影することを通知し又は端末をトリガーして撮影を起動するように設定される計算モジュールを更に含む請求項6-9のいずれか一項に記載の撮影装置。
【請求項１１】
受信モジュール、処理モジュール、表示モジュール及び画像取得モジュールを含み、
前記画像取得モジュールは画像情報を取得するように設定され、
前記表示モジュールは、撮影プレビューインタフェースに前記画像情報を表示するように設定され、
前記受信モジュールは、ユーザが撮影プレビューインタフェースの特定撮影領域をマークする要求を受信して、前記要求を受信した後に、前記要求を前記処理モジュールに送信するように設定され
前記処理モジュールは、前記要求に基づきマーク情報を生成して、且つ前記マーク情報を前記表示モジュールに送信するように設定され、
前記表示モジュールは更に、撮影プレビューインタフェースにおける対応した位置に前記マーク情報を表示するように設定され、
前記受信モジュールは更に、撮影指示を受信して、且つ撮影指示を受信した後に、処理モジュールに撮影操作を実行することを通知するように設定される撮影端末。
【請求項１２】
前記受信モジュールはタッチ受信サブモジュールを含み、前記表示モジュールはタッチディスプレイを含み、前記タッチ受信サブモジュールは、ユーザが撮影プレビューインタフェースで前記タッチディスプレイをタッチするタッチ情報を受信するように設定され、前記処理モジュールは、ユーザの前記タッチディスプレイに対するタッチ情報に基づきマーク情報を生成して、且つ前記表示モジュールに送信するように設定され、前記表示モジュールは撮影プレビューインタフェースにおけるユーザがタッチする位置に前記マーク情報を表示するように設定される請求項11に記載の撮影端末。
【国際調査報告】
2017525193.tif 000021
2017525193.tif 000022
2017525193.tif 000023
2017525193.tif 000024